(57)【要約】【課題】 悪用されることなく、かつ操作性を向上させた機器を提供することを目的とする。【解決手段】  指紋検出装置１０２の指紋センサ１０２ａを表示ユニット１０に設ける。予め、指紋を登録しておき、その指紋センサ１０２ａにより登録された指紋であると照合された場合に、電磁コイル１１７に電流を流して係止片１１５を移動させて表示ユニット１０と本体１１との係合を解き、表示ユニット１０の回動を捩りバネ１１２により駆動する。さらに、ＣＰＵ１１４からＤＣ／ＤＣコンバータに指示を出し、ＤＣ／ＤＣコンバータから表示ユニット１０及び各部に電力を供給して展開状態になったときにすぐにこの機器を作動状態にする。【選択図】    図３
2005216205.tif 000002
【特許請求の範囲】
【請求項１】
表示画面を有する表示ユニットと本体とを備え、該表示ユニットが該本体に該表示画面が隠れる向きに重なった収納状態と該本体から該表示画面をユーザに視認させる向きに開いた展開状態との間で回動自在に該本体に軸支された機器において、
ユーザの個人認証を行なうことによりこの機器の使用可否を判定する認証手段と、
前記表示ユニットが前記収納状態にあるときに前記認証手段により個人認証が行なわれこの機器の使用が許可されたことを受けて、前記表示ユニットの、前記収納状態から前記展開状態への回動を駆動する駆動手段とを備えたことを特徴とする機器。
【請求項２】
前記認証手段は、前記表示ユニットに備えられたものであることを特徴とする請求項１記載の機器。
【請求項３】
前記認証手段が、指紋を検出する指紋センサを備え、該指紋センサにより今回検出された指紋と登録されている、使用が許可されたユーザの指紋とを照合することによりこの機器の使用可否を判定するものであることを特徴とする請求項１記載の機器。
【請求項４】
前記指紋センサは、前記表示ユニットが前記収納状態にあるときの、該表示ユニットの外面に設けられたものであることを特徴とする請求項３記載の機器。
【請求項５】
この機器は、電力の供給を受けて作動する機器であり、前記表示ユニットの、前記収納状態から前記展開状態への回動に伴ってこの機器の作動用の電力が供給されるものであることを特徴とする請求項１記載の機器。
【発明の詳細な説明】
【技術分野】
【０００１】
本発明は、表示画面を有する表示ユニットと本体とを備え、その表示ユニットがその本体にその表示画面が隠れる向きに重なった収納状態とその本体からその表示画面をユーザに視認させる向きに開いた展開状態との間で回動自在にその本体に軸支された機器に関する。
【背景技術】
【０００２】
携帯機器の中には表示画面を有する表示ユニットと本体とを備えたものが多い。この表示ユニットがその本体にその表示画面が隠れる向きに重なった収納状態とその本体からその表示画面をユーザに視認させる向きに開いた展開状態との間で回動自在にその本体に軸支され、収納状態にあってはコンパクトな形で携帯され、展開状態にあっては使い勝手の良い形になって使用される機器がある。このような機器の代表例としてビデオカメラやデジタルカメラなどのような携帯機器が挙げられる（例えば特許文献１、特許文献２参照）。
【０００３】
しかし、特許文献１、特許文献２いずれにおいても、展開状態にまで表示ユニットをユーザに手動で回動させなければならず、操作性が悪いといった問題がある。
【０００４】
また、このような携帯機器にあっては誰でも使えるように製作されているため、紛失したりすると所有者以外の人により悪用される危険性がある。
【特許文献１】特開平８―１２５８９０号公報
【非特許文献１】特開平１０―１９１１１７号公報
【発明の開示】
【発明が解決しようとする課題】
【０００５】
本発明は上記問題点を解決し、紛失しても悪用される危険性がなく、かつ高い操作性を持つ機器を提供することを目的とするものである。
【課題を解決するための手段】
【０００６】
上記課題を解決する本発明の機器は、表示画面を有する表示ユニットと本体とを備え、その表示ユニットがその本体にその表示画面が隠れる向きに重なった収納状態とその本体からその表示画面をユーザに視認させる向きに開いた展開状態との間で回動自在に該本体に軸支された機器であって、
ユーザの個人認証を行なうことによりこの機器の使用可否を判定する認証手段と、
上記表示ユニットが上記収納状態にあるときに上記認証手段により個人認証が行なわれこの機器の使用が許可されたことを受けて上記表示ユニットの、上記収納状態から上記展開状態への回動を駆動する駆動手段とを備えたことを特徴とする。
【０００７】
上記本発明の機器によれば、上記認証手段により個人認証が行なわれこの機器の使用が許可されたことを受けて、記駆動手段により上記表示ユニットの、上記収納状態から上記展開状態への回動が駆動される。そうすると、上記表示ユニットの、上記収納状態から上記展開状態への回動が上記駆動手段により駆動される分、手動で操作する手間が省かれ、操作性が向上する。
【０００８】
ここで、この機器の動作を開始させるためには表示ユニットの展開状態への回動を上記駆動手段により駆動させなければならないことを考えれば、上記認証手段が表示ユニットに設けられていることが好ましい。
【０００９】
また、上記認証手段により個人認証が行なわれこの機器の使用が許可されない限り、上記表示ユニットの、上記収納状態から上記展開状態への回動が上記駆動手段により駆動されないため、この機器の持ち主がこの機器を紛失したとしてもこの機器が悪用される危険性がなくなる。またこの機器を紛失したとしてもこの機器の使用が許可されない分、この機器を拾った人が落し物としてこの機器を警察署などに届ける率が高くなることも期待され、さらに盗難防止の効果も期待される。
【００１０】
ここで、上記認証手段が、指紋を検出する指紋センサを備え、その指紋センサにより今回検出された指紋と登録されている、使用が許可されたユーザの指紋とを照合することによりこの機器の使用可否を判定するものであることが好ましく、上記指紋センサは、上記表示ユニットが上記収納状態にあるときの、その表示ユニットの外面に設けられたものであることが望ましい。
【００１１】
そうすると、この認証手段に登録されている指紋と同じ指紋を持つ指で指紋センサに触れない限り、この機器の使用が許可されることがなく、この機器が悪用される率は限りなく０に近づく。また指紋センサに指を触れるだけで良いため、高い操作性が得られる。
【００１２】
さらに、この機器は、電力の供給を受けて作動する機器であり、上記表示ユニットの、上記収納状態から上記展開状態への回動に伴ってこの機器の作動用の電力が供給されるものであることが好ましい。
【００１３】
このように上記表示ユニットの、上記収納状態から上記開放状態への回動に伴ってこの機器の作動用の電力がこの機器に供給されると、上記表示ユニットが展開状態になったと同時にその表示ユニットに画像が表示されてこの機器の使用がすぐに開始される。
【発明の効果】
【００１４】
上記発明によれば、この機器を紛失しても悪用される危険性がなく、かつ高い操作性を持つ機器が実現される。
【発明を実施するための最良の形態】
【００１５】
以下、本発明の機器の一実施形態であるビデオカメラの構成を説明する。
【００１６】
図１はビデオカメラ１を背面斜め上方から見た斜視図である。
【００１７】
図１には、表示画面１０１を有する表示ユニット１０と本体１１とを備え、その表示ユニット１０がその本体１１にその表示画面１０１が隠れる向きに重なった収納状態とその本体１１からその表示画面１０１をユーザに視認させる向きに開いた展開状態との間で回動自在にその本体１１に軸支されたビデオカメラ１の外観が示されている。この図１には説明を分かりやすくするため、表示ユニット１０の収納状態と展開状態との双方の状態が示されている。
【００１８】
図１に示すように、このビデオカメラ１の本体１１には撮影レンズ１２が備えられており、その撮影レンズ１２によってビデオカメラ１内部に配備されている固体撮像素子に被写体光を結像させ、被写体像を表わす動画像データを得ている。その動画像データに基づく画像がその表示ユニット１０の表示画面１０１上に表示され、この表示画面上の被写体を見ながら録画釦（図示せず）が押されると動画像データが記録媒体例えばメモリカードに記録される。
【００１９】
図２は、表示ユニットがその収納状態にあるときの表示ユニット１０の背面を示す図、図３は図２に示す矢印にそって切断した切断面を示す断面図である。
【００２０】
図２には本発明にいう駆動手段を実現する構成として捩りバネ１１２を用いた例が示されている。駆動手段としてはモータなどがあるが、ここでは最も簡単な構成が示されている。
【００２１】
図３には表示ユニット１０が収納状態にあるときにその捩りバネ１１２のバネ付勢を係止片１１５により抑えて表示ユニット１０を収納状態に保つ構成が示されている。
【００２２】
図２、図３に示すように、表示ユニット１０には、本発明にいう認証手段にあたる指紋検出装置１０２が設けられており、その指紋検出装置１０２の指紋センサ１０２ａが表示ユニット１０の外面に設けられている。この指紋センサ１０２ａによりユーザーの個人認証が行われ、この機器の使用可否が指紋センサ１０２ａを備える指紋検出装置１０２により行なわれる。
【００２３】
指紋検出装置１０２には、使用が許可されたユーザの指紋が登録されており、今回指紋センサにより検出された指紋とその登録されている指紋とが照合され、この機器の使用可否が指紋検出装置１０２により判定される。その判定結果が後述するＣＰＵ１１４に転送され、ＣＰＵ１１４の制御の基に表示ユニット１０と本体１１との係合が解かれると捩りバネ１１２により表示ユニット１０が駆動される。
【００２４】
図２、図３に示すように捩りバネ１１２は回動軸１１１に巻回され、その捩りバネ１１２の一端が本体１１側に係合されて他端が表示ユニット１０側に係合されている。この回動軸１１１には表示ユニット１０の連結部１００の中空部が回動自在に嵌め合わされており、その回動軸１１１に捩りバネが巻回されている。したがって捩りバネ１１２により常時展開状態になるように表示ユニットはバネにより付勢されることになる。そこで、この表示ユニットを収納状態にするために本体１１から表示ユニット１０側に向けて延びる係止片１１５を設けてその係止片と表示ユニット１０とを係合させることによって捩りバネによる付勢力を抑えることで表示ユニット１０を収納状態に保たっている。この収納状態にあるときに、表示ユニット１０の外面に設けられた指紋センサ１０２ａにより今回検出された指紋と、登録されている、使用が許可された指紋とが照合されこの機器の使用が許可されたことを受けて本体１１と表示ユニット１０との係合が解かれると、捩りバネ１１２が駆動源になって表示ユニット１０の回動が駆動される。
【００２５】
本実施形態にあっては、この係合を解くにあたって、表示ユニット１０の外面の指紋センサ１０２ａによりこの機器の使用が許可された人の指紋が検出されたことを受けて、係止片１１５の他端に貼着されているマグネット１１５ａと対向する位置に配備されている電磁コイル１１７に電流を流してその電磁コイルを磁化させることよりマグネットとともに係止片を電磁コイル側に移動させて係止片と表示ユニットとの係合を解いている。そうするとマグネット１１５ａとともに係止片１１５が電磁コイル１１７側に移動して本体１１と表示ユニット１０との係合が解かれたときに捩りバネ１１２により表示ユニット１０の回動が駆動される。
【００２６】
また、この例においては、できるだけ簡単な構造で表示ユニット１０を展開状態に保持しておくため、表示ユニット１０と本体１１との連結部１００が本体１１に当接したところでの受け部１１ａで表示ユニット１０を受け止めて表示ユニット１０をその受け部１１ａで受けたまま展開状態に保つようにしてある。
【００２７】
図４は、このビデオカメラ内部の構成ブロック図を示す図である。
【００２８】
この図４には、指紋検出装置１０２とＣＰＵ１１４と作動用の電源ここではＤＣ／ＤＣコンバータ１１８との係わりが示されている。
【００２９】
ＣＰＵ１１４と受信装置１１３には電池１２０から電力が常時供給されている。また、指紋検出装置１０２にはバッテリーが内蔵され無線タグ１０３にはその指紋検出装置１０２のバッテリから電力が供給されている。そうすると電源オフ時であっても指紋検出装置１０２とＣＰＵ１１４と無線タグ１０３と受信装置１１３は常時オンしたままになって指紋検出装置によっていつでも指紋の照合が行なわれる。ここで指紋検出装置１０２の指紋センサにより指紋が検出されたら指紋検出装置により今回検出された指紋と、この指紋検出装置に登録されている、使用が許可された指紋とが照合されて使用可否が判定され、その判定の結果、使用が可能であった場合には、その旨ＣＰＵに通知される。その通知を受けたＣＰＵ１１４はＤＣ／ＤＣコンバータ１１８から電磁コイル１１７に電力を供給させるとともにトランジスタ１１９のベースにハイレベル信号を供給する。そうすると電磁コイル１１７に電流が流れて電磁コイル１１７に磁界が発生し係止片１１６が電磁コイル側に移動する。このため、本体１１と表示ユニット１０との係合が解かれ捩りバネ１１２により表示ユニット１０の展開状態への回動が駆動される。このとき表示ユニット１０の回動に伴い、ＤＣ／ＤＣコンバータ１１８から表示ユニット１０を含む各部に電力を供給させてこの機器を作動させる。
【００３０】
このようにしておくと、電源スイッチをわざわざ投入せずとも、捩りバネにより展開状態への回動が駆動され、さらに表示ユニットの展開状態への回動に伴って作動用の電力がこの機器に供給されて、表示ユニットが展開状態になったときに表示ユニットの表示画面上に画像が表示され、すぐにこの機器の使用が開始される。
【００３１】
また、係止片１１５には表示ユニット１０側に延びている方向に向かってテーパ１１５１が設けられており、表示ユニット１０が手動で閉じられるときには、表示ユニットの凹部１０４にそのテーパ部１１５１を乗り越えさせ、係止片１１５を凹部１０４に入り込ませることにより表示ユニット１０を収納状態に至らせている。この表示ユニット１０が収納状態にあるときには表示ユニット１０が閉検出スイッチ１２１を押すためＣＰＵ１１４はその閉検出スイッチ１２１の閉信号を受けてＤＣ／ＤＣコンバータ１１８を出力オフ状態にすることによりこの機器１を作動状態から非作動状態に切り換えている。
【００３２】
このようにしておくと、指紋センサ１０２ａにこの機器の使用が許可された人の指が触れると自動的に表示ユニット１０が開いてすぐにこの機器の使用が開始され、この表示ユニット１０が手動で閉じられ本体１１に収納されたらこの機器の作動用の電源が自動的にオフされる。
【００３３】
図５は別の実施形態を示す図である。
【００３４】
図５に示すように表示ユニット２０が本体に重ねて収納される収納状態と展開状態との間で本体２１に軸支されるデジタルカメラ２であっても指紋センサを備えた指紋検出装置や係止片２１５や閉検出スイッチ２２１を設けることにより同様の効果が得られる機器が実現される。
【００３５】
なお、本実施形態においては認証手段に指紋検出装置を用いた例を掲げたが、暗証番号検出装置のようなものであっても良く、その場合には例えばカード挿入口を機器側に設けてこの機器の使用が許可された暗証番号を持つカードをその挿入口から挿入するような構成にすれば良い。
【図面の簡単な説明】
【００３６】
【図１】ビデオカメラを正面斜め上方から見た斜視図である。
【図２】収納状態にあるときの表示ユニット１０の背面を示す図である。
【図３】図２に示す矢印にそって切断した面を示す断面図である。
【図４】このビデオカメラ内部の構成ブロック図を示す図である。
【図５】別の実施形態を示す図である。
【符号の説明】
【００３７】
１  ビデオカメラ
１０    表示ユニット
１００    連結部
１０１    表示画面
１０２    指紋検出装置
１０２ａ    指紋センサ
１０３    無線タグ
１１    本体
１１ａ    受け部
１１１    回動軸
１１２    捩りバネ
１１３    受信装置
１１４    ＣＰＵ
１１５    係止片
１１６    バネ
１１７    電磁コイル
１１８    ＤＣ／ＤＣコンバータ
１１９    トランジスタ
１２０    電池
１２    撮影レンズ
【図１】
2005216205.tif 000003
【図２】
2005216205.tif 000004
【図３】
2005216205.tif 000005
【図４】
2005216205.tif 000006
【図５】
2005216205.tif 000007